(57)【要約】【課題】  超音波を利用して骨密度及び骨健康を測定する際に、測定部位を毎回、同じ箇所となるように、使用及び保守管理が容易で、経済的なフットプレートを提供する。【解決手段】  前記課題を解決するために本発明のフットプレートは、測定部位を毎回、同じ箇所とするために、フットプレート１のＶ字底に測定部位調整用穴２を加工する。この該測定部位調整用穴２に、測定部位調整用冶具３を組み付けして測定することができるようにする。測定時に使用する該測定部位調整用冶具３については、予め実験で求められている測定者の足の大きさと測定時に使用する測定部位調整用冶具３の関係から、使用する該測定部位調整用冶具３の種類（（１）〜（４））を選定し、その選定された冶具をフットプレート１のＶ字底にある測定部位調整用穴２に嵌め込んで組み付けして使用できるものとした。【選択図】      図１
2007075421.tif 000002
【特許請求の範囲】
【請求項１】
超音波を利用して骨密度及び骨健康を測定する装置において、測定部位を毎回、同じ箇所とするために、フットプレート１のＶ字底に測定部位調整用穴２があり、その該測定部位調整用穴２に、測定部位調整用冶具３を組み付けして測定することができることを特徴とした骨密度計及び骨健康計に使用するフットプレート。
【請求項２】
請求項１記載の測定部位調整用冶具３は、測定部位調整用穴２の直径に比べて、僅かに小さい円柱形状となっており、該測定部位調整用冶具３を該測定部位調整用穴２に嵌め込んで組み付けて使用できる構造となっていることを特徴とした測定部位を毎回、同じ箇所とする冶具。
【請求項３】
請求項２記載の測定部位調整用冶具３は、（１）〜（４）の種類があり、測定者の足の大きさによって、使い分けができることを特徴とした測定部位を毎回、同じ箇所とする冶具。
【請求項４】
請求項１記載の骨密度及び骨健康に使用するフットプレートは、測定部位を毎回、同じ箇所とすることができるために、予め実験で求められている測定者の足の大きさと測定時に使用する測定部位調整用冶具３の関係から、使用する該測定部位調整用冶具３の種類（（１）〜（４））が選定され、その選定された冶具をフットプレート１のＶ字底にある測定部位調整用穴２に嵌め込んで組み付けて使用できることを特徴とした骨密度計及び骨健康計に使用するフットプレート。
【請求項５】
請求項２記載の測定部位調整用冶具３は、測定時のフットプレート１の安定性を増すために、嵌め込んで組み付けた際に、該フットプレート１のＶ字底と密着するように、円柱とＶ型形状の組み合わさった形状となっていることを特徴とした測定部位を毎回、同じ箇所とする冶具。
【発明の詳細な説明】
【技術分野】
【０００１】
本発明は、超音波を利用して骨密度及び骨健康を測定する装置において、測定部位を毎回、同じ箇所とするためのフットプレートに関するものである。
【背景技術】
【０００２】
高齢人口の増加に伴い、日常生活の中で僅かな負荷によって骨折しやすくなる骨粗しょう症患者の急増は医療・介護分野において大きな問題となっている。このような状況の中で、超音波を利用して計測する場合に、毎回の測定値の信頼性を確保する必要がある。このため、測定部位を毎回、同じ箇所とすることが重要となる。
【０００３】
特開２００５−０２１４１３は、計測部に足置きを取り付け、足型及び足模様に合わせ、親指の位置を設定し、ふくらはぎを足置きに接するようにして設置することで位置を固定し、測定部位を毎回、一定の位置になるようにしてから計測を行う。また、特許第２９０９４０５号は、足置き台の厚みを測定者の足の大きさによって変えることで、測定部位が毎回、一定の位置になるようにしている。
【特許文献１】特開２００５−０２１４１３号公報
【特許文献２】特許第２９０９４０５号
【発明の開示】
【発明が解決しようとする課題】
【０００４】
これまでの超音波骨密度評価装置では、測定部位が毎回、一定の位置になるように、足置きの厚みを変えたものを測定者の足の大きさによって数個製作して、合ったものを使用している。この方法は、足置きが数個必要になり、装置の管理側の保守管理がやり難く、また、経済性も良くないという問題点があった。
【課題を解決するための手段】
【０００５】
上述の問題を下記のように、フットプレートを発明することで解決した。測定部位を毎回、同じ箇所とするために、フットプレート１のＶ字底に測定部位調整用穴２を加工する。この該測定部位調整用穴２に、測定部位調整用冶具３を組み付けして測定することができるようにする。測定時に使用する該測定部位調整用冶具３については、予め実験で求められている測定者の足の大きさと測定時に使用する測定部位調整用冶具３の関係から、使用する該測定部位調整用冶具３の種類（（１）〜（４））を選定し、その選定された冶具をフットプレート１のＶ字底にある測定部位調整用穴２に嵌め込んで組み付けして使用する。
【発明の効果】
【０００６】
本発明の超音波骨密度計及び骨健康計に使用するフットプレートは上述の手段を講じることで、以下に記載されるような効果を奏する。
【０００７】
本発明のフットプレートにより、測定部位調整用冶具３を替えるだけで、容易に測定部位を毎回、同じ箇所とすることができる。また、使用する立場の人は、該測定部位調整用冶具３を替えるだけで済み、保守管理が容易となる。さらに、経済性も優れたものとなる。
【０００８】
測定を数多くしなければいけない人、具体的には健康診断、健康イベント等では、測定部位調整用冶具３を替えるだけで済み、従来の装置に比較して、数多くの測定をこなすことが容易となる。
【発明を実施するための最良の形態】
【０００９】
本発明の超音波骨密度計及び骨健康計に使用するフットプレートを図面に基づき具体的に説明する。図1は本発明のフットプレートの概略を示したものである。１はフットプレート、２は測定部位調整用穴、３は測定部位調整用冶具、４は測定部位（踵骨）である。
【００１０】
前記フットプレート１を骨密度計及び骨健康計の計測部にセットし、測定部位を毎回、同じ箇所となるようにし、超音波を利用して骨密度及び骨健康を測定する。
【実施例】
【００１１】
測定者の足の大きさを聞く。次いで、聞いた足の大きさから、図２を使用して測定部位調整用穴２に嵌め込む測定部位調整用冶具３の種類を算出・選定する。図３、図４には測定部位調整用冶具の種類（（１）〜（４））を示す。図３の調整用冶具を使うか、図４の調整用冶具を使うかは、使用する立場の人が、要求される測定精度によって使い分けることができる。
【００１２】
選定した測定部位調整用冶具（（１）〜（４））を前期測定部位調整用穴２に嵌め込みセットする。セットが終わったフットプレートを計測部にのせ、骨密度及び骨健康の測定を開始する。
【図面の簡単な説明】
【００１３】
【図１】本発明のフットプレートの概略図である。
【図２】本発明の足の大きさと測定部位調整用冶具の関係図である。
【図３】本発明の測定部位調整用冶具種類の正面図（例１）である。
【図４】本発明の測定部位調整用冶具種類の正面図（例２）である。
【符号の説明】
【００１４】
１  フットプレート
２  測定部位調整用穴
３  測定部位調整用冶具
４  測定部位（踵骨）
【図１】
2007075421.tif 000003
【図２】
2007075421.tif 000004
【図３】
2007075421.tif 000005
【図４】
2007075421.tif 000006